(57)【要約】【課題】  より厳密に撮影制限を行うことのできるカメラ装置等を提供する。【解決手段】  送信されてくる撮影禁止時間帯データを受信して、ＲＡＭに出力し記憶させておく（ステップＣ１０４）。撮影禁止時間帯データをＲＡＭに記憶させたならば、ユーザはこの液晶表示部に表示される被写体画像を視認しながら、撮影したい時点でシャッターキーを押下して撮影操作を行う（ステップＵ１０３）。すると、デジタルカメラは、この撮影操作を検知し（ステップＣ１０５）、現在時刻を検出し（ステップＣ１０６）、この検出した現在時刻が撮影禁止時間帯であるか否かを判断する（ステップＣ１０７）。この判断の結果、現在時刻が撮影禁止時間帯でない場合には、撮影処理を実行する（ステップＣ１０８）。しかし、ステップＣ１０７での判断の結果、現在時刻が撮影禁止時間帯である場合には、撮影操作を無視する（ステップＣ１０８）。【選択図】        図４
2005091658.tif 000002
【特許請求の範囲】
【請求項１】
撮影操作に応答して撮影動作し被写体の撮影画像データを記録する撮影手段と、
現在時刻を計時する計時手段と、
この計時手段により計時される現在時刻が所定の時間帯であるか否かを判断する時間判断手段と、
この時間判断手段の判断結果に応じて、前記撮影手段の撮影動作を禁止する禁止手段と
を備えることを特徴とするカメラ装置。
【請求項２】
前記所定の時間帯を示すデータを受信する受信手段を更に備え、
前記判断手段は、前記受信手段により受信されたデータが示す所定の時間帯に基づき、前記判断を実行することを特徴とする請求項１記載のカメラ装置。
【請求項３】
撮影操作に応答して撮影動作し被写体の撮影画像データを記録する撮影手段と、
所定の信号を受信する受信手段と、
この受信手段により前記所定の信号が受信されたか否かを判断する受信判断手段と、
この受信判断手段の判断結果に応じて、前記撮影手段の撮影動作を禁止する禁止手段と
を備えることを特徴とするカメラ装置。
【請求項４】
撮影操作に応答して撮影動作し被写体の撮影画像データを記録する撮影手段と、
前記撮影操作に応答して発光動作する発光手段と、
所定の信号を受信する受信手段と、
この受信手段により前記所定の信号が受信されたか否かを判断する受信判断手段と、
この受信判断手段の判断結果に応じて、前記発光手段の発光動作を禁止する禁止手段と
を備えることを特徴とするカメラ装置。
【請求項５】
撮影操作に応答して撮影動作し被写体の撮影画像データを記録する撮影手段と、
この撮影手段の撮影方向を検出する検出手段と、
この検出手段により検出される前記撮影方向が所定の方向であるか否かを判断する方向判断手段と、
この方向判断手段の判断結果に応じて、前記撮影手段の撮影動作を禁止する禁止手段と
を備えることを特徴とするカメラ装置。
【請求項６】
現在時刻を計時する計時手段と、
この計時手段により計時される現在時刻が所定の時間帯であるか否かを判断する時間判断手段とを更に備え、
前記各判断手段は、前記時間判断手段の判断結果、前記現在時刻が前記所定の時間帯である場合において、前記各判断を行うことを特徴とする請求項３、４又は５記載のカメラ装置。
【請求項７】
撮影操作に応答して撮影動作し被写体の撮影画像データを記録する撮影手段を備えたカメラ装置が有するコンピュータを、
現在時刻を計時する計時手段と、
この計時手段により計時される現在時刻が所定の時間帯であるか否かを判断する時間判断手段と、
この時間判断手段の判断結果に応じて、前記撮影手段の撮影動作を禁止する禁止手段と
して機能させることを特徴とするカメラ制御プログラム。
【請求項８】
撮影操作に応答して撮影動作し被写体の撮影画像データを記録する撮影手段と受信手段とを備えたカメラ装置が有するコンピュータを、
前記受信手段に所定の信号を受信させる受信制御手段と、
前記受信手段により前記所定の信号が受信されたか否かを判断する受信判断手段と、
この受信判断手段の判断結果に応じて、前記撮影手段の撮影動作を禁止する禁止手段と
して機能させることを特徴とするカメラ制御プログラム。
【請求項９】
撮影操作に応答して撮影動作し被写体の撮影画像データを記録する撮影手段と、前記撮影操作に応答して発光動作する発光手段、受信手段とを備えたカメラ装置が有するコンピュータを、
前記受信手段に所定の信号を受信させる受信制御手段と、
前記受信手段により前記所定の信号が受信されたか否かを判断する受信判断手段と、
この受信判断手段の判断結果に応じて、前記発光手段の発光動作を禁止する禁止手段と
して機能させることを特徴とするカメラ制御プログラム。
【請求項１０】
撮影操作に応答して撮影動作し被写体の撮影画像データを記録する撮影手段と、この撮影手段の撮影方向を検出する検出手段とを備えたカメラ装置が有するコンピュータを、
前記検出手段により検出される前記撮影方向が所定の方向であるか否かを判断する方向判断手段と、
この方向判断手段の判断結果に応じて、前記撮影手段の撮影動作を禁止する禁止手段と
して機能させることを特徴とするカメラ制御プログラム。
【請求項１１】
送信装置とカメラ装置とで構成されるカメラ制御システムであって、
前記送信装置は、
所定の時間帯を示すデータを送信する送信手段を有し、
前記カメラ装置は、
撮影操作に応答して撮影動作し被写体の撮影画像データを記録する撮影手段と、
現在時刻を計時する計時手段と、
前記所定の時間帯を示すデータを受信する受信手段と、
前記計時手段により計時される現在時刻が、前記受信手段により受信されたデータが示す所定の時間帯であるか否かを判断する時間判断手段と、
この時間判断手段の判断結果、前記現在時刻が前記所定の時間帯である場合、前記撮影手段の撮影動作を禁止する禁止手段と
を備えることを特徴とするカメラ制御システム。
【請求項１２】
送信装置とカメラ装置とで構成されるカメラ制御システムであって、
前記送信装置は、
所定の信号を送信する送信手段を有し、
前記カメラ装置は、
撮影操作に応答して撮影動作し被写体の撮影画像データを記録する撮影手段と、
前記所定の信号を受信する受信手段と、
この受信手段により前記所定の信号が受信されたか否かを判断する受信判断手段と、
この受信判断手段の判断結果に応じて、前記撮影手段の撮影動作を禁止する禁止手段と
を備えることを特徴とするカメラ制御システム。
【請求項１３】
送信装置とカメラ装置とで構成されるカメラ制御システムであって、
前記送信装置は、
所定の信号を送信する送信手段を有し、
前記カメラ装置は、
撮影操作に応答して撮影動作し被写体の撮影画像データを記録する撮影手段と、
前記撮影操作に応答して発光動作する発光手段と、
前記所定の信号を受信する受信手段と、
この受信手段により前記所定の信号が受信されたか否かを判断する受信判断手段と、
この受信判断手段の判断結果に応じて、前記発光手段の発光動作を禁止する禁止手段と
を備えることを特徴とするカメラ装置。
【請求項１４】
送信装置とカメラ装置とで構成されるカメラ制御システムであって、
前記送信装置は、
所定の方向を示すデータを送信する送信手段を有し、
前記カメラ装置は、
撮影操作に応答して撮影動作し被写体の撮影画像データを記録する撮影手段と、
前記所定の方向を示すデータを受信する受信手段と、
前記撮影手段の撮影方向を検出する検出手段と、
この検出手段により検出される前記撮影方向が前記受信手段により受信されたデータが示す所定の方向であるか否かを判断する方向判断手段と、
この方向判断手段の判断結果に応じて、前記撮影手段の撮影動作を禁止する禁止手段と
を備えることを特徴とするカメラ制御システム。
【発明の詳細な説明】
【技術分野】
【０００１】
本発明は、撮影制限機能を備えたカメラ装置、カメラ制御プログラム及びカメラ制御システムに関する。
【背景技術】
【０００２】
従来、撮影制限機能を備えたカメラ装置が提案されている。このカメラ装置は、基準角度に対する装置本体の傾き角度を検出する検出手段を備え、この検出手段により検出された傾き角度が設定された撮影禁止角度範囲内にある場合には、撮影を禁止するように制御を行うものである。（例えば、特許文献１参照。）。
【特許文献１】特開２００２−２９０８１８号公報
【発明の開示】
【発明が解決しようとする課題】
【０００３】
ところで、今日においてはデジタルスチルカメラが普及するに至っており、業務やレジャーとしての目的以外にも、教育機器として観察の結果を記録する等の目的で学習においても用いられつつある。カメラを学習に取り込もうとする場合、授業中におけるカメラの取り扱いをどのようにするかが重要な課題となる。つまり、カメラが授業中における黒板や実験器具の撮影に用いられることで、授業の記録を充実させることができる反面、おもちゃ的に使用されることにより、却って授業の効果が失われるからである。
【０００４】
そこで、前述した従来のカメラ装置を授業において用いることが考えられる。しかし、前記従来のカメラ装置にあっては、検出された傾き角度が設定された撮影禁止角度範囲内にある場合に撮影を禁止するものであることから、傾き角度を撮影禁止角度範囲以外にすれば何時でも撮影が可能となる。よって、授業等の具体的使用環境との関係において必ずしも厳密かつ的確に撮影制限を行うことができるものではなかった。
【０００５】
本発明は、かかる従来の課題に鑑みてなされたものであり、より厳密に撮影制限を行うことのできるカメラ装置、カメラ制御プログラム及びカメラ制御システムを提供することを目的とするものである。
【課題を解決するための手段】
【０００６】
前記課題を解決するために請求項１記載の発明に係るカメラ装置は、撮影操作に応答して撮影動作し被写体の撮影画像データを記録する撮影手段と、現在時刻を計時する計時手段と、この計時手段により計時される現在時刻が所定の時間帯であるか否かを判断する時間判断手段と、この時間判断手段の判断結果に応じて、前記撮影手段の撮影動作を禁止する禁止手段とを備える。
【０００７】
したがって、所定の時間帯においては撮影を禁止しこれ以外の時間帯において撮影を許容する撮影制限、あるいはこれとは逆に、所定の時間帯においては撮影を許容しこれ以外の時間帯において撮影を禁止する撮影制限が可能となる。よって、具体的に、授業中のみ撮影を許容し休み時間においては撮影を禁止する撮影制限形態を実現することができ、具体的使用環境において厳密かつ的確に撮影制限を行うことができる。
【０００８】
また、請求項２記載の発明に係るカメラ装置は、前記所定の時間帯を示すデータを受信する受信手段を更に備え、前記判断手段は、前記受信手段により受信されたデータが示す所定の時間帯に基づき、前記判断を実行する。したがって、受信するデータに応じて撮影が制限あるいは許容される時間帯を変化させることができる。
【０００９】
また、請求項３記載の発明に係るカメラ装置は、撮影操作に応答して撮影動作し被写体の撮影画像データを記録する撮影手段と、所定の信号を受信する受信手段と、この受信手段により前記所定の信号が受信されたか否かを判断する受信判断手段と、この受信判断手段の判断結果に応じて、前記撮影手段の撮影動作を禁止する禁止手段とを備える。
【００１０】
したがって、所定の信号を受信した場合には撮影を禁止し受信しない場合には撮影を許容する撮影制限、あるいはこれとは逆に所定の信号を受信した場合には撮影を許容し受信しない場合には撮影を禁止する撮影制限が可能となる。よって、具体的に、授業中のみ撮影を許容し休み時間においては撮影を禁止する撮影制限形態を実現することができ、具体的使用環境において厳密かつ的確に撮影制限を行うことができる。
【００１１】
また、請求項４記載の発明に係るカメラ装置は、撮影操作に応答して撮影動作し被写体の撮影画像データを記録する撮影手段と、前記撮影操作に応答して発光動作する発光手段と、所定の信号を受信する受信手段と、この受信手段により前記所定の信号が受信されたか否かを判断する受信判断手段と、この受信判断手段の判断結果に応じて、前記発光手段の発光動作を禁止する禁止手段とを備える。
【００１２】
したがって、所定の信号を受信した場合には発光を禁止し受信しない場合には発光を許容する発光制限、あるいはこれとは逆に所定の信号を受信した場合には発光を許容し受信しない場合には発光を禁止する発光制限が可能となる。よって、具体的に、授業中において発光を伴う撮影を禁止する発光制限形態を実現することができる。
【００１３】
また、請求項５記載の発明に係るカメラ装置は、撮影操作に応答して撮影動作し被写体の撮影画像データを記録する撮影手段と、この撮影手段の撮影方向を検出する検出手段と、この検出手段により検出される前記撮影方向が所定の方向であるか否かを判断する方向判断手段と、この方向判断手段の判断結果に応じて、前記撮影手段の撮影動作を禁止する禁止手段とを備える。
【００１４】
したがって、所定の方向である場合には撮影を禁止し他の方向である場合には撮影を許容する撮影制限、あるいはこれとは逆に所定の方向である場合には撮影を許容し他の方向である場合には撮影を禁止する撮影制限が可能となる。よって、具体的に、授業中の黒板方向のみみ撮影を許容し、他の方向は撮影を禁止する撮影制限形態を実現することができ、具体的使用環境において厳密かつ的確に撮影制限を行うことができる。
【００１５】
また、請求項６記載の発明に係るカメラ装置は、現在時刻を計時する計時手段と、この計時手段により計時される現在時刻が所定の時間帯であるか否かを判断する時間判断手段とを更に備え、前記請求項３、４又は５記載の各判断手段は、前記時間判断手段の判断結果、前記現在時刻が前記所定の時間帯である場合において、前記各判断を行う。したがって、撮影禁止条件が加重され、これにより厳密かつ的確に撮影制限を行うことができる。
【００１６】
また、請求項７記載の発明に係るカメラ制御プログラムは、撮影操作に応答して撮影動作し被写体の撮影画像データを記録する撮影手段を備えたカメラ装置が有するコンピュータを、現在時刻を計時する計時手段と、この計時手段により計時される現在時刻が所定の時間帯であるか否かを判断する時間判断手段と、この時間判断手段の判断結果に応じて、前記撮影手段の撮影動作を禁止する禁止手段として機能させる。したがって、前記コンピュータがこのプログラムに従って処理を実行することにより、請求項１記載の発明と同様の作用効果を奏する。
【００１７】
また、請求項８記載の発明に係るカメラ制御プログラムは、撮影操作に応答して撮影動作し被写体の撮影画像データを記録する撮影手段と受信手段とを備えたカメラ装置が有するコンピュータを、前記受信手段に所定の信号を受信させる受信制御手段と、前記受信手段により前記所定の信号が受信されたか否かを判断する受信判断手段と、この受信判断手段の判断結果に応じて、前記撮影手段の撮影動作を禁止する禁止手段として機能させる。したがって、前記コンピュータがこのプログラムに従って処理を実行することにより、請求項３記載の発明と同様の作用効果を奏する。
【００１８】
また、請求項９記載の発明に係るカメラ制御プログラムは、撮影操作に応答して撮影動作し被写体の撮影画像データを記録する撮影手段と、前記撮影操作に応答して発光動作する発光手段、受信手段とを備えたカメラ装置が有するコンピュータを、前記受信手段に所定の信号を受信させる受信制御手段と、前記受信手段により前記所定の信号が受信されたか否かを判断する受信判断手段と、この受信判断手段の判断結果に応じて、前記発光手段の発光動作を禁止する禁止手段として機能させる。したがって、前記コンピュータがこのプログラムに従って処理を実行することにより、請求項４記載の発明と同様の作用効果を奏する。
【００１９】
また、請求項１０記載の発明に係るカメラ制御プログラムは、撮影操作に応答して撮影動作し被写体の撮影画像データを記録する撮影手段と、この撮影手段の撮影方向を検出する検出手段とを備えたカメラ装置が有するコンピュータを、前記検出手段により検出される前記撮影方向が所定の方向であるか否かを判断する方向判断手段と、この方向判断手段の判断結果に応じて、前記撮影手段の撮影動作を禁止する禁止手段として機能させる。したがって、前記コンピュータがこのプログラムに従って処理を実行することにより、請求項４記載の発明と同様の作用効果を奏する。
【００２０】
また、請求項１１記載の発明は、送信装置とカメラ装置とで構成されるカメラ制御システムであって、前記送信装置は、所定の時間帯を示すデータを送信する送信手段を有し、
【００２１】
前記カメラ装置は、撮影操作に応答して撮影動作し被写体の撮影画像データを記録する撮影手段と、現在時刻を計時する計時手段と、前記所定の時間帯を示すデータを受信する受信手段と、前記計時手段により計時される現在時刻が、前記受信手段により受信されたデータが示す所定の時間帯であるか否かを判断する時間判断手段と、この時間判断手段の判断結果、前記現在時刻が前記所定の時間帯である場合、前記撮影手段の撮影動作を禁止する禁止手段とを備える。
【００２２】
したがって、所定の時間帯においては撮影を禁止しこれ以外の時間帯において撮影を許容する撮影制限、あるいはこれとは逆に、所定の時間帯においては撮影を許容しこれ以外の時間帯において撮影を禁止する撮影制限が可能となる。よって、具体的に、授業中のみ撮影を許容し休み時間においては撮影を禁止する撮影制限形態を実現することができ、システム的に具体的使用環境において厳密かつ的確に撮影制限を行うことが可能となるできる。
【００２３】
また、請求項１２記載の発明は、送信装置とカメラ装置とで構成されるカメラ制御システムであって、前記送信装置は、所定の信号を送信する送信手段を有し、前記カメラ装置は、撮影操作に応答して撮影動作し被写体の撮影画像データを記録する撮影手段と、前記所定の信号を受信する受信手段と、この受信手段により前記所定の信号が受信されたか否かを判断する受信判断手段と、この受信判断手段の判断結果に応じて、前記撮影手段の撮影動作を禁止する禁止手段とを備える。
【００２４】
したがって、所定の信号を受信した場合には撮影を禁止し受信しない場合には撮影を許容する撮影制限、あるいはこれとは逆に所定の信号を受信した場合には撮影を許容し受信しない場合には撮影を禁止する撮影制限が可能となる。よって、具体的に、授業中のみ撮影を許容し休み時間においては撮影を禁止する撮影制限形態を実現することができ、システム的に具体的使用環境において厳密かつ的確に撮影制限を行うことが可能となる。
【００２５】
また、請求項１３記載の発明は、送信装置とカメラ装置とで構成されるカメラ制御システムであって、前記送信装置は、所定の信号を送信する送信手段を有し、前記カメラ装置は、撮影操作に応答して撮影動作し被写体の撮影画像データを記録する撮影手段と、前記撮影操作に応答して発光動作する発光手段と、前記所定の信号を受信する受信手段と、この受信手段により前記所定の信号が受信されたか否かを判断する受信判断手段と、この受信判断手段の判断結果に応じて、前記発光手段の発光動作を禁止する禁止手段とを備える。
【００２６】
したがって、所定の信号を受信した場合には発光を禁止し受信しない場合には発光を許容する発光制限、あるいはこれとは逆に所定の信号を受信した場合には発光を許容し受信しない場合には発光を禁止する発光制限が可能となる。よって、システム的に授業中において発光を伴う撮影を禁止する発光制限形態を実現することが可能となる。
【００２７】
また、請求項１４記載の発明は、送信装置とカメラ装置とで構成されるカメラ制御システムであって、前記送信装置は、所定の方向を示すデータを送信する送信手段を有し、前記カメラ装置は、撮影操作に応答して撮影動作し被写体の撮影画像データを記録する撮影手段と、前記所定の方向を示すデータを受信する受信手段と、前記撮影手段の撮影方向を検出する検出手段と、この検出手段により検出される前記撮影方向が前記受信手段により受信されたデータが示す所定の方向であるか否かを判断する方向判断手段と、この方向判断手段の判断結果に応じて、前記撮影手段の撮影動作を禁止する禁止手段とを備える。
【００２８】
したがって、所定の方向である場合には撮影を禁止し他の方向である場合には撮影を許容する撮影制限、あるいはこれとは逆に所定の方向である場合には撮影を許容し他の方向である場合には撮影を禁止する撮影制限が可能となる。よって、具体的に、授業中の黒板方向のみみ撮影を許容し、他の方向は撮影を禁止する撮影制限形態を実現することができ、システム的に具体的使用環境において厳密かつ的確に撮影制限を行うことが可能となる。
【発明の効果】
【００２９】
以上説明したように請求項１、２及び７に係る発明によれば、所定の時間帯においてのみは撮影を禁止あるいは許容する撮影制限が可能となることから、具体的に、授業中等のみ撮影を許容し休み時間においては撮影を禁止する撮影制限形態を実現することができ、具体的使用環境において厳密かつ的確に撮影制限を行うことができる。
【００３０】
また、請求項３及び８に係る発明によれば、所定の信号を受信した場合にのみ撮影を禁止あるいは許容する撮影制限が可能となることから、具体的に、授業中のみ撮影を許容し休み時間においては撮影を禁止する撮影制限形態を実現することができ、具体的使用環境において厳密かつ的確に撮影制限を行うことができる。
【００３１】
また、請求項４及び９に係る発明によれば、所定の信号を受信した場合にのみ発光を禁止あるいは許容する発光制限が可能となることから、具体的に、授業中において発光を伴う撮影を禁止する発光制限形態を伴う撮影制限を実現することができる。
【００３２】
また、請求項５及び１０に係る発明によれば、撮影方向が所定の方向である場合のみ撮影を禁止あるいは許容する撮影制限が可能となることから、具体的に、授業中の黒板方向のみみ撮影を許容し、他の方向は撮影を禁止する撮影制限形態を実現することができ、具体的使用環境において厳密かつ的確に撮影制限を行うことができる。
【００３３】
また、請求項１１に係る発明によれば、所定の時間帯においてのみは撮影を禁止あるいは許容する撮影制限が可能となることから、具体的に、授業中等のみ撮影を許容し休み時間においては撮影を禁止する撮影制限形態を実現することができ、具体的使用環境において厳密かつ的確に撮影制限を行うことができるシステムを構築することが可能となる。
【００３４】
また、請求項１２に係る発明によれば、所定の信号を受信した場合にのみ撮影を禁止あるいは許容する撮影制限が可能となることから、具体的に、授業中のみ撮影を許容し休み時間においては撮影を禁止する撮影制限形態を実現することができ、具体的使用環境において厳密かつ的確に撮影制限を行うことのできるシステムを構築することが可能となる。
【００３５】
また、請求項１３に係る発明によれば、所定の信号を受信した場合にのみ発光を禁止あるいは許容する発光制限が可能となることから、具体的に、授業中において発光を伴う撮影を禁止する発光制限形態を伴う撮影制限を実現することのできるシステムを構築することが可能となる。
【００３６】
また、請求項１４に係る発明によれば、撮影方向が所定の方向である場合のみ撮影を禁止あるいは許容する撮影制限が可能となることから、具体的に、授業中の黒板方向のみみ撮影を許容し、他の方向は撮影を禁止する撮影制限形態を実現することができ、具体的使用環境において厳密かつ的確に撮影制限を行うことのできるシステムを構築することが可能となる。
【発明を実施するための最良の形態】
【００３７】
（第１の実施の形態）
以下、本発明の第１の実施の形態を図に従って説明する。図１（Ａ）は、本実施の形態のシステム構成図であり、このシステムは学校等において生徒に貸し出すために用意されたデジタルカメラ４と、学校等に配置されたパーソナルコンピュータ６とを備える。デジタルカメラ４は、後述する撮影禁止コマンドの通信時においてのみ通信ケーブル３を介してパーソナルコンピュータ６に接続され、撮影禁止コマンドの通信終了後の撮影使用時には通信ケーブル３との接続を解除される。デジタルカメラ４は、略直方体形状の本体４０１を有し、この本体４０１の前面には後述する光学レンズ４０７が配置されている。また、背面には液晶表示部４０２が配置され、上面にはシャッターキー４０５と各種機能キー４０６が配設されている。
【００３８】
図２は、デジタルカメラ４の電気的な回路構成を示すブロック図である。このデジタルカメラは、前記本体４０１の前面に配置された光学レンズ４０７、この光学レンズ４０７により結像されるＣＣＤ等の撮影素子４０８と、撮影素子４０８を駆動するためのＴＧ４０９と、撮影素子４０８から出力された撮影信号を保持するＣＤＳ、その撮影信号を増幅するゲイン調整アンプ（ＡＧＣ）、増幅後の撮影信号をデジタル信号に変換するＡ／Ｄ変換器（ＡＤ）からなるユニット回路４１０を有している。そして、被写体の像が光学レンズ４０７を介して撮影素子４０８上に結像され、撮影素子４０８は信号を出力する。この撮影素子４０８から出力された信号は、ユニット回路４１０にて、サンプリング、増幅、デジタル化され、画像処理回路／ＣＰＵ４１１に送られて、この画像処理回路／ＣＰＵ４１１内で輝度に変換され、輝度の積分やヒストグラム処理が行われる。
【００３９】
前記光学レンズ４０７は、ＡＦモータ等を備えるレンズ駆動回路４１２に保持されており、レンズ駆動回路４１２が画像処理回路／ＣＰＵ４１１の制御により駆動されることにより光軸方向に移動し、撮影素子４０８に結像される被写体像のフォーカス、及び拡大倍率を調整する。また、ＡＥ制御時には、撮影素子４０８が、画像処理回路／ＣＰＵ４１１から送られるシャッターパルスに基づきＴＧ４０９によって駆動され、その電荷蓄積時間を制御される。これにより電子シャッターが実現される。
【００４０】
画像処理回路／ＣＰＵ４１１は各種の信号処理、及び画像処理機能を備えたものであり、ユニット回路４１０を経てデジタル信号に変換された撮影信号からビデオ信号を生成し、撮影素子４０８によって撮影した被写体像をスルー画像としてＴＦＴ液晶モニター等からなる前記液晶表示部４０２に表示させる。また、撮影時には、撮影信号を圧縮してＪＰＥＧフォーマットの画像ファイルを生成し、それを最終的にはフラッシュメモリ等からなる着脱自在な記憶メディア４１３に記憶させ、再生時には圧縮した画像ファイルを伸張して液晶表示部４０２に表示させる。なお、画像処理回路／ＣＰＵ４１１は、現在日時を計時する時計部４１４を備えており、記憶メディア４１３は着脱自在である。
【００４１】
さらに、画像処理回路／ＣＰＵ４１１には、前記シャッターキー４０５、機能キー４０６等からなる操作キー部４１５、ＲＯＭ４１６、測距センサー４１７、方位センサー４１８、通信部４１９、ＲＡＭ４２０及びストロボ回路４２１が接続されている。ＲＯＭ４１６は、画像処理回路／ＣＰＵ４１１による各部の制御及び各種データ処理に必要な動作プログラムが記録されているともに、後述するフローチャートに示す処理を実行するためのプログラムが記憶されている。
【００４２】
測距センサー４１７は、被写体までの距離を検出して画像処理回路／ＣＰＵ４１１に入力するものである。方位センサー４１８は、デジタルカメラ４における光学レンズ４０７の方向（方位）を検出して画像処理回路／ＣＰＵ４１１に入力するものである。ＲＡＭ４２０は、後述する撮影禁止データ等各種データの記憶や画像処理回路／ＣＰＵ４１１のワークエリアとして使用される。通信部４１９は、前記通信ケーブル３を介しての通信機能と、他の実施の形態で示すように無線通信による通信機能とを併有している。ストロボ回路４２１は、ストロボ管を発光手段として備え、シャッターキー４０５の操作に応答した画像処理回路／ＣＰＵ４１１からの指示信号に基づきストロボ管を発光動作させるものである。
【００４３】
図３は、パーソナルコンピュータ６の電気的な概略構成を示すブロック図である。このパーソナルコンピュータ６は、制御部６０１、ＲＯＭ６０２、ＲＡＭ６０３、通信部６０４、表示部６０５、及び操作部６０７がシステムバス６０６により相互に接続されたシステムである。制御部６０１は、ＲＯＭ６０２に記憶されているプログラムに基づき動作し、各部を制御するものである。ＲＡＭ６０３には、撮影禁止時間帯データが予め記憶されているとともに、制御部６０１のワークエリアとして使用される。通信部６０４は、図２に示したデジタルカメラ４の通信部４１９と通信ケーブル３を介して通信を行う機能を有している。表示部６０５は、ＣＲＴやＬＣＤで構成され、操作部６０７はキーボードからなる。
【００４４】
以上の構成にかかる本実施の形態において、ユーザ（生徒）が学校等側から配布されたデジタルカメラ４を使用するに際しては、図１（Ａ）に示したように、学校等の所定箇所に配置されているパーソナルコンピュータ６に通信ケーブル３を介してデジタルカメラ４を接続させる。しかる後に、図４のフローチャートに示すように、ユーザはデジタルカメラ４の電源を投入する（ステップＵ１０１）。すると、デジタルカメラ４は、画像処理回路／ＣＰＵ４１１が前記プログラムに基づき動作することにより、これを検知する（ステップＣ１０１）。引き続き、設定モード開始処理を行って（ステップＣ１０２）、通信モードを設定する。
【００４５】
さらに、ユーザが所定の機能キー４０６を操作して撮影禁止時間帯コマンド通信実行操作を行うと（ステップＵ１０２）、画像処理回路／ＣＰＵ４１１はこれを検知する（ステップＣ１０３）。そして、通信ケーブル３を介して送信されてくる撮影禁止時間帯データを受信して、ＲＡＭ４２０の記憶エリアに出力し記憶させる（ステップＣ１０４）。したがって、以上の処理によりデジタルカメラ４のＲＡＭ４２０には、例えば授業中の時間帯を除く時間帯を撮影禁止時間帯とする撮影禁止時間帯データが記憶されることとなる。
【００４６】
なお、ステップＵ１０１、Ｕ１０２の操作は、このデジタルカメラ４を使用する者（生徒）が行うことなく、教師等のデジタルカメラ４を管理する者が行ってもよい。
【００４７】
このようにして、撮影禁止時間帯データをＲＡＭ４２０に記憶させたならば、デジタルカメラ４を通信ケーブル３から分離した後、撮影モードを設定する。この撮影モードの設定に伴い、撮影素子４０８によって撮影された被写体像がスルー画像として液晶表示部４０２に表示されることとなる。
【００４８】
したがって、ユーザはこの液晶表示部４０２に表示される被写体画像を視認しながら、撮影したい時点でシャッターキー４０５を押下して撮影操作を行う（ステップＵ１０３）。すると、画像処理回路／ＣＰＵ４１１は、この撮影操作を検知し（ステップＣ１０５）、時計部４１４にて現在時刻を検出する（ステップＣ１０６）。次に、この検出した現在時刻とＲＡＭ４２０に記憶させた撮影禁止時間帯データが示す時間帯とを比較することにより、現在時刻が撮影禁止時間帯であるか否かを判断する（ステップＣ１０７）。この判断の結果、現在時刻が撮影禁止時間帯でない場合には（ステップＣ１０７；ＮＯ）、撮影処理を実行する（ステップＣ１０８）。すなわち、ユニット回路４１０を経てデジタル信号に変換された撮影信号を圧縮してＪＰＥＧフォーマットの画像ファイルを生成し、この画像ファイルを、記憶メディア４１３に保存する。したがって、図１（Ｂ）に例示するように、撮影可能時間帯である授業中の教室２において黒板１に記載されている内容を撮影すべくシャッターキー４０５を押下した場合には、支障なく黒板１に記載されている内容等を含む画像ファイルを記憶メディア４１３に保存することができる。
【００４９】
しかし、ステップＣ１０７での判断の結果、現在時刻が撮影禁止時間帯である場合には（ステップＣ１０７；ＹＥＳ）、撮影操作を無視する（ステップＣ１０８）。すなわち、前述した撮影処理を行うことなく、画像ファイルを生成や画像ファイルの記憶メディア４１３への保存を行わない。したがって、図１（Ｃ）に例示したように、撮影不可能時間帯である夜において遊興場所５での撮影は不可能となる。
【００５０】
よって、授業中において黒板１あるいは実験器具等の勉強目的で撮影することは可能であるが遊興時には撮影が不可能となり、具体的使用環境との関係において厳密かつ的確に撮影制限を行うことが可能となる。
【００５１】
（第２の実施の形態）
【００５２】
図５は、本発明の第２の実施の形態を示すシステム構成図であり、このシステムは、学校等において生徒に貸し出すために用意され、あるいは各ユーザ（生徒）所有のデジタルカメラ４と、学校等の教室２内や校舎７の屋上等に配置された送信機８とを備える。デジタルカメラ４は、図２に示した前記実施の形態と同様の構成であり、通信部４１９は送信機８との無線通信機能を有する。
【００５３】
図６は、送信機８の電気的な概略構成を示すブロック図である。この送信機８は、制御部８０１、ＲＯＭ８０２、ＲＡＭ８０３、通信部８０４、及び操作部８０５がシステムバス８０６により相互に接続されたシステムである。制御部８０１は、ＲＯＭ８０２に記憶されているプログラムに基づき動作し、各部を制御するものである。ＲＡＭ８０３には、撮影禁止時間帯データが予め記憶されているとともに、制御部８０１のワークエリアとして使用される。通信部８０４は、図２に示したデジタルカメラ４の通信部４１９と無線通信を行う機能を有している。
【００５４】
以上の構成にかかる本実施の形態において、図７のフローチャートに示すように、ユーザはデジタルカメラ４の電源を投入すると（ステップＵ２０１）、デジタルカメラ４は、画像処理回路／ＣＰＵ４１１が前記プログラムに基づき動作することにより、これを検知する（ステップＣ２０１）。引き続き、設定モード開始処理を行って（ステップＣ２０２）撮影モードを設定し、この撮影モードの状態においては、常時通信部４１９を動作させ、常時送信機８から送信されている撮影禁止時間帯データを受信する。
【００５５】
また、この撮影モードの設定に伴い、撮影素子４０８によって撮影された被写体像がスルー画像として液晶表示部４０２に表示される。したがって、ユーザはこの液晶表示部４０２に表示される被写体画像を視認しながら、撮影したい時点でシャッターキー４０５を押下して撮影操作を行う（ステップＵ２０２）。すると、画像処理回路／ＣＰＵ４１１は、この撮影操作を検知し（ステップＣ２０３）、時計部４１４にて現在時刻を検出する（ステップＣ２０４）。次に、この検出した現在時刻と、常時受信しつつＲＡＭ４２０に記憶している撮影禁止時間帯データが示す時間帯とを比較することにより、現在時刻が撮影禁止時間帯であるか否かを判断する（ステップＣ２０５）。
【００５６】
この判断の結果、現在時刻が撮影禁止時間帯でない場合には（ステップＣ２０５；ＮＯ）、撮影処理を実行する（ステップＣ２０８）。すなわち、ユニット回路４１０を経てデジタル信号に変換された撮影信号を圧縮してＪＰＥＧフォーマットの画像ファイルを生成し、この画像ファイルを、記憶メディア４１３に保存する。したがって、図５（Ａ）に例示するように、撮影可能時間帯である授業中の教室２において黒板１に記載されている内容を撮影すべくシャッターキー４０５を押下した場合には、支障なく黒板１に記載されている内容等を含む画像ファイルを記憶メディア４１３に保存することができる。
【００５７】
しかし、ステップＣ２０５での判断の結果、現在時刻が撮影禁止時間帯である場合には（ステップＣ２０５；ＹＥＳ）、コマンド受信処理を行って当該時刻において送信機８から送信されているコマンドを受信する（ステップＣ２０６）。さらに、この受信したコマンド中に撮影禁止コマンドがあるか否かを判断する（ステップＣ２０７）。そして、撮影禁止コマンドがない場合には（ステップＣ２０７；ＮＯ）、前述した撮影処理を実行する（ステップＣ２０８）。しかし、撮影禁止コマンドがある場合には（ステップＣ２０７；ＹＥＳ）、撮影操作を無視する（ステップＣ２０９）。すなわち、前述した撮影処理を行うことなく、画像ファイルを生成や画像ファイルの記憶メディア４１３への保存を行わない。したがって、図１（Ｂ）に例示したように、撮影不可能時間帯である休み時間中においての撮影は不可能となる。
【００５８】
よって、授業中において黒板１あるいは実験器具等の勉強目的で撮影することは可能であるが休み時間中には撮影が不可能となり、具体的使用環境との関係において厳密かつ的確に撮影制限を行うことが可能となる。また、この実施の形態においては、撮影禁止時間帯であっても、送信機８から撮影禁止コマンドを送信しなければ、デジタルカメラ４の撮影は可能となることから、撮影禁止時間帯においても一時的に撮影可能とすることもでき、より緻密に撮影制限を行うことが可能となる。
【００５９】
（第３の実施の形態）
【００６０】
図８は、本発明の第３の実施の形態を示すシステム構成図であり、このシステムは、前述した第２の実施の形態と同様に、学校等において生徒に貸し出すために用意され、あるいは各ユーザ（生徒）所有のデジタルカメラ４と、学校等の教室２内等に配置された送信機８とを備える。デジタルカメラ４は、図２に示した前記実施の形態と同様の構成であり、通信部４１９は送信機８との無線通信機能を有する。また、送信機８は、図６に示した前記実施の形態と同様の構成である。
【００６１】
なお、前記ストロボ管を有するストロボ回路４２１は、本体４０１の上部に出没可能に突出するストロボハウジング４２２内に配置されている。また、送信機８の電気的な概略構成は、図６に示した第２の実施の形態と同様である。
【００６２】
以上の構成にかかる本実施の形態において、図９のフローチャートに示すように、ユーザはデジタルカメラ４の電源を投入すると（ステップＵ３０１）、デジタルカメラ４は、画像処理回路／ＣＰＵ４１１が前記プログラムに基づき動作することにより、これを検知する（ステップＣ３０１）。引き続き、設定モード開始処理を行って（ステップＣ３０２）撮影モードを設定し、この撮影モードの状態においては、常時通信部４１９を動作させ、常時送信機８から送信されている撮影禁止時間帯データを受信する。
【００６３】
また、この撮影モードの設定に伴い、撮影素子４０８によって撮影された被写体像がスルー画像として液晶表示部４０２に表示される。したがって、ユーザはこの液晶表示部４０２に表示される被写体画像を視認しながら、撮影したい時点でシャッターキー４０５を押下して撮影操作を行う（ステップＵ３０２）。すると、画像処理回路／ＣＰＵ４１１は、この撮影操作を検知し（ステップＣ３０３）、時計部４１４にて現在時刻を検出する（ステップＣ３０４）。次に、この検出した現在時刻と、常時受信しつつＲＡＭ４２０に記憶している撮影禁止時間帯データが示す時間帯とを比較することにより、現在時刻が撮影禁止時間帯であるか否かを判断する（ステップＣ３０５）。この判断の結果、現在時刻が撮影禁止時間帯でない場合には（ステップＣ３０５；ＮＯ）、コマンド受信処理を行って当該時刻において送信機８から送信されているコマンドを受信する（ステップＣ３０６）。さらに、この受信したコマンド中にフラッシュ禁止コマンドがあるか否かを判断する（ステップＣ３０７）。そして、フラッシュ禁止コマンドがない場合には（ステップＣ３０７；ＹＥＳ）、フラッシュＯｆｆ処理を行うことなく、撮影処理を行う（ステップＣ３０９）。したがって、図８（Ａ）に示すように、一般的な授業の場合には、教室２の明るさに応じてストロボ回路４２１を動作させてフラッシュ撮影を行うことができる。
【００６４】
しかし、フラッシュ禁止コマンドがある場合には（ステップＣ３０７；ＹＥＳ）、フラッシュＯｆｆ処理を行った後（ステップＣ３０８）、撮影処理を行う（ステップＣ３０９）。したがって、例えばストロボ回路４２１からの発光により絵を傷める可能性のある美術の時間、あるいは発光によって実験結果に影響が生ずる可能性のある化学の時間等においては、送信機８からフラッシュ禁止コマンドを送信することより、撮影は許可するがフラッシュ撮影は禁止することができる。
【００６５】
また、ステップＣ３０５での判断の結果、現在時刻が撮影禁止時間帯である場合には（ステップＣ３０５；ＹＥＳ）、撮影操作を無視する（ステップＣ３０１０）。すなわち、撮影処理を行うことなく、画像ファイルを生成や画像ファイルの記憶メディア４１３への保存を行わない。
【００６６】
（第４の実施の形態）
【００６７】
図１０は、本発明の第４の実施の形態を示すシステム構成図であり、このシステムは、前述した第２の実施の形態と同様に、学校等において生徒に貸し出すために用意され、あるいは各ユーザ（生徒）所有のデジタルカメラ４と、学校等の教室２内等に配置された送信機８とを備える。デジタルカメラ４は、図２に示した前記実施の形態と同様の構成であり、通信部４１９は送信機８との無線通信機能を有する。また、送信機８は、図６に示した前記実施の形態と同様の構成である。
【００６８】
以上の構成にかかる本実施の形態において、図１１のフローチャートに示すように、ユーザはデジタルカメラ４の電源を投入すると（ステップＵ４０１）、デジタルカメラ４は、画像処理回路／ＣＰＵ４１１が前記プログラムに基づき動作することにより、これを検知する（ステップＣ４０１）。引き続き、設定モード開始処理を行って（ステップＣ４０２）撮影モードを設定し、この撮影モードの状態においては、常時通信部４１９を動作させ、常時送信機８から送信されている撮影禁止時間帯データを受信する。この撮影モードの設定に伴い、撮影素子４０８によって撮影された被写体像がスルー画像として液晶表示部４０２に表示される。
【００６９】
したがって、ユーザはこの液晶表示部４０２に表示される被写体画像を視認しながら、撮影したい時点でシャッターキー４０５を押下して撮影操作を行う（ステップＵ４０２）。すると、画像処理回路／ＣＰＵ４１１は、この撮影操作を検知し（ステップＣ４０３）、時計部４１４にて現在時刻を検出する（ステップＣ４０４）。次に、コマンド受信処理を行って送信機８から送信されてくる撮影禁止方向コマンドを受信する（ステップＣ４０５）。なお、本実施の形態において、撮影禁止方向コマンドが示す撮影禁止方向は、教室２における窓２０１の方向（図１０参照）である。
【００７０】
そして、前述のステップＣ４０４で検出した現在時刻と、常時受信しつつＲＡＭ４２０に記憶している撮影禁止時間帯データが示す時間帯とを比較することにより、現在時刻が撮影禁止時間帯であるか否かを判断する（ステップＣ４０６）。この判断の結果、現在時刻が撮影禁止時間帯でない場合には（ステップＣ４０５；ＮＯ）、撮影処理を実行する（ステップＣ４０８）。すなわち、ユニット回路４１０を経てデジタル信号に変換された撮影信号を圧縮してＪＰＥＧフォーマットの画像ファイルを生成し、この画像ファイルを、記憶メディア４１３に保存する。したがって、図５（Ａ）に例示するように、撮影可能時間帯である授業中の教室２において黒板１に記載されている内容を撮影すべくシャッターキー４０５を押下した場合には、支障なく黒板１に記載されている内容等を含む画像ファイルを記憶メディア４１３に保存することができる。
【００７１】
しかし、ステップＣ４０６での判断の結果、現在時刻が撮影禁止時間帯である場合には（ステップＣ４０６；ＹＥＳ）、方位センサー４１８からの出力に基づき、デジタルカメラ４における光学レンズ４０７の方向（方位）を検出する（ステップＣ４０８）。さらに、この検出したカメラの方向が前述のステップＣ４０５で受信したコマンドが示す禁止方向であるか否かを判断する（ステップＣ４０９）。そして、検出したカメラの方向が受信したコマンドが示す禁止方向ではない場合には（ステップＣ４０９；ＮＯ）、撮影処理を実行する。
【００７２】
したがって、この実施の形態においては、例えば授業が長引いて休み時間（撮影禁止時間帯）にまで及んだ場合であっても、カメラの方向が窓２０１方向ではなく黒板１の方向であれば、支障なく撮影を行うことができる。
【００７３】
他方、ステップＣ４０９での判別の結果、検出したカメラの方向が受信したコマンドが示す禁止方向ではある場合には（ステップＣ４０９；ＹＥＳ）、撮影操作を無視する（ステップＣ４１０）。すなわち、撮影処理を行うことなく、画像ファイルを生成や画像ファイルの記憶メディア４１３への保存を行わない。したがって、図１０（Ｂ）に例示したように、教室２から窓２０１方向の撮影が不可能となり、具体的使用環境との関係において厳密かつ的確に撮影制限を行うことが可能となる。
【００７４】
なお、各実施の形態においては、撮影禁止時間帯データをデジタルカメラ４が取得し、。この撮影禁止時間帯データが示す時間帯において撮影を禁止するようにしたが、これとは逆に撮影許容時間帯データをデジタルカメラ４が取得し、この撮影許容時間帯データが示す時間帯において撮影を可能とし、他の時間帯の撮影を禁止するようにしてもよい。
さらに、各実施の形態においてはカメラ装置としてデジタルカメラ４を用いる場合を示したが、カメラ付き携帯電話やカメラ付きＰＤＡを用いるようにしてもよい。
【図面の簡単な説明】
【００７５】
【図１】本発明の第１の実施の形態におけるシステム構成及び撮影状況を示す図である。
【図２】各実施の形態に共通するデジタルカメラの回路構成を示すブロック図である。
【図３】第１の実施の形態において用いたパーソナルコンピュータの回路構成を示すブロック図である。
【図４】本発明の第１の実施の形態における処理手順を示すフローチャートである。
【図５】本発明の第２の実施の形態におけるシステム構成及び撮影状況を示す図である。
【図６】本発明の第２〜４の実施の形態において用いた送信機の回路構成を示すブロック図である。
【図７】本発明の第２の実施の形態における処理手順を示すフローチャートである。
【図８】本発明の第３の実施の形態におけるシステム構成及び撮影状況を示す図である
【図９】同実施の形態における処理手順を示すフローチャートである。
【図１０】本発明の第４の実施の形態におけるシステム構成及び撮影状況を示す図である
【図１１】同実施の形態における処理手順を示すフローチャートである。
【符号の説明】
【００７６】
１    黒板
２    教室
３    通信ケーブル
４    デジタルカメラ
６    パーソナルコンピュータ
８    送信機
２０１    窓
４０２    液晶表示部
４０５    シャッターキー
４０６    機能キー
４０７    光学レンズ
４０８    撮影素子
４０９    ＴＧ
４１０    ユニット回路
４１１    画像処理回路／ＣＰＵ
４１２    レンズ駆動回路
４１３    記憶メディア
４１４    時計部
４１５    操作キー部
４１６    ＲＯＭ
４１８    方位センサー
４１９    通信部
４２０    ＲＡＭ
４２１    ストロボ回路
【図１】
2005091658.tif 000003
【図２】
2005091658.tif 000004
【図３】
2005091658.tif 000005
【図４】
2005091658.tif 000006
【図５】
2005091658.tif 000007
【図６】
2005091658.tif 000008
【図７】
2005091658.tif 000009
【図８】
2005091658.tif 000010
【図９】
2005091658.tif 000011
【図１０】
2005091658.tif 000012
【図１１】
2005091658.tif 000013